(57)【要約】【課題】フラット、切妻、寄棟形状等の通常の屋根をドーム型屋根へリフォームするためのリフォーム方法を提供するとともに、ドーム型屋根へリフォームする際に用いるドーム型アタッチメントを構築する。【解決手段】フラット３１、切妻１、寄棟２１形状等の既存屋根をドーム型屋根２にリフォームするためのドーム型屋根へのリフォーム方法であって、既存屋根に構成されるトラス躯体３上にドーム型アタッチメント５を増設し、ドーム型屋根を構築する。【選択図】図２
2005344393.tif 000002
【特許請求の範囲】
【請求項１】
フラット、切妻、寄棟形状等の既存屋根をドーム型屋根にリフォームするためのドーム型屋根へのリフォーム方法であって、
既存屋根に構成されたトラス躯体上にドーム型アタッチメントを増設し、ドーム型屋根を構築するドーム型屋根へのリフォーム方法。
【請求項２】
フラット、切妻、寄棟形状等の既存屋根をドーム型屋根にリフォームするためのドーム型屋根へのリフォーム方法であって、
既存屋根に構成されたトラス躯体上の母屋受けプレートに、ドーム型アタッチメントをボルト接合しドーム型屋根を構築するドーム型屋根へのリフォーム方法。
【請求項３】
前記ドーム型アタッチメントはサブトラスと軽量な金属鋼板で構成されていることを特徴とする請求項１又は２に記載のドーム型屋根へのリフォーム方法。
【請求項４】
前記サブトラスは前記軽量な金属鋼板を上面に支持する上弦と、既存屋根のトラス躯体上面の形状に合わせて組み立てられた下弦と、前記上弦と前記下弦との間に組まれたラチス材とから構成されていることを特徴とする請求項３に記載のドーム型屋根へのリフォーム方法。
【請求項５】
前記下弦の下面に、前記母屋受けプレートと接合するための取付プレートが突出されていることを特徴とする請求項４に記載のドーム型屋根へのリフォーム方法。
【請求項６】
フラット、切妻、寄棟形状等の既存屋根をドーム型屋根にリフォームするためのドーム型屋根へのリフォーム方法であって、
既存屋根部材、野地板、母屋を解体除去する工程と、トラス躯体から突出した母屋受けプレートに対し、ドーム型アタッチメント下面に突出した取付プレートを固定する工程と、からなるドーム型屋根へのリフォーム方法。
【発明の詳細な説明】
【技術分野】
【０００１】
本発明は、フラット、切妻、寄棟形状の屋根をドーム型屋根へリフォームするためのリフォーム方法に関するものである。
【背景技術】
【０００２】
近年、近代建築において柔らかで個性的な外観を求めるニーズから、屋根を曲線的な意匠にすることが求められている。従来では、ドーム型屋根の構築方法等（例えば、特許文献１参照。）が公開されているが、これらの公報からもその意図は了承されるものである。
【特許文献１】特開平５−１７９７０７号公報
【発明の開示】
【発明が解決しようとする課題】
【０００３】
しかしながら、ドーム型屋根の構築方法は上記の如く公開されているものの、フラット、切妻、寄棟形状の通常の屋根をドーム型屋根へリフォームする方法は知られていない。
そこで、本発明においては、フラット、切妻、寄棟形状等の通常の屋根からドーム型屋根へリフォームするためのリフォーム方法を提案するものである。
また、ドーム型屋根へリフォームするためにフラット、切妻、寄棟形状の屋根に取付けるアタッチメント（屋根取付具）を構築することを目的とする。
【課題を解決するための手段】
【０００４】
本発明の解決しようとする課題は以上の如くであり、次にこの課題を解決するための手段を説明する。
【０００５】
即ち、請求項１においては、フラット、切妻、寄棟形状等の既存屋根をドーム型屋根にリフォームするためのドーム型屋根へのリフォーム方法であって、既存屋根に構成されたトラス躯体上にドーム型アタッチメントを増設し、ドーム型屋根を構築するものである。
【０００６】
請求項２においては、フラット、切妻、寄棟形状等の既存屋根をドーム型屋根にリフォームするためのドーム型屋根へのリフォーム方法であって、既存屋根に構成されたトラス躯体上の母屋受けプレートに、ドーム型アタッチメントをボルト接合しドーム型屋根を構築するものである。
【０００７】
請求項３においては、前記ドーム型アタッチメントはサブトラスと軽量な金属鋼板で構成されているものである。
【０００８】
請求項４においては、前記サブトラスは前記軽量な金属鋼板を上面に支持する上弦と、既存屋根のトラス躯体上面の形状に合わせて組み立てられた下弦と、前記上弦と前記下弦との間に組まれたラチス材とから構成されているものである。
【０００９】
請求項５においては、前記下弦の下面に、前記母屋受けプレートと接合するための取付プレートが突出されているものである。
【００１０】
請求項６においては、フラット、切妻、寄棟形状等の既存屋根をドーム型屋根にリフォームするためのドーム型屋根へのリフォーム方法であって、既存屋根部材、野地板、母屋を解体除去する工程と、トラス躯体から突出した母屋受けプレートに対し、ドーム型アタッチメント下面に突出した取付プレートを固定する工程と、からなるものである。
【発明の効果】
【００１１】
本発明の効果として、以下に示すような効果を奏する。
【００１２】
請求項１においては、フラット、切妻、寄棟形状の既存の屋根を、ドーム型アタッチメントを増設するだけで、トラス躯体を利用して容易にドーム型屋根へリフォームすることが可能となり、現場での施工性を向上することができる。
【００１３】
請求項２においては、フラット、切妻、寄棟形状の既存の屋根を、トラス躯体上の母屋受けプレートにドーム型アタッチメントをボルト接合するだけで、容易にドーム型屋根へリフォームすることが可能となり、現場での施工性を向上することができる。
【００１４】
請求項３においては、ドーム型アタッチメントはサブトラスと軽量な金属鋼板で構成されるので、簡単な構造で安価に製造することが可能となり、現場での施工性を向上することができる。また、ドーム型屋根を安価に製作することが可能となる。
【００１５】
請求項４においては、サブトラスは前記軽量な金属鋼板を上面に支持する上弦と、既存屋根のトラス躯体上面の形状に合わせて組み立てられた下弦と、前記上弦と前記下弦との間に組まれたラチス材とから構成されので、簡単な構造で安価に製造でき、現場での施工性も向上することができる。
【００１６】
請求項５においては、前記下弦の下面に、前記母屋受けプレートと接合するための取付プレートが突出されているので，現場での施工性を向上することができる。
【００１７】
請求項６においては、フラット、切妻、寄棟形状の屋根をドーム型屋根へリフォームすることが可能となり、現場での施工性を向上することができる。
【発明を実施するための最良の形態】
【００１８】
次に、発明の実施の形態を説明する。
図１はリフォーム前の切妻屋根とリフォーム後のドーム型屋根を示す斜視図、図２はドーム型アタッチメントの構成を示す正面図、図３はリフォーム前とリフォーム後の屋根構造を示す正面図、図４は同じく背面図、図５はリフォーム前の寄棟屋根とリフォーム後のドーム型屋根を示す斜視図、図６はリフォーム前の陸屋根とリフォーム後のドーム型屋根を示す斜視図、図７は陸屋根用のドーム型アタッチメントの構成を示す正面図である。
【００１９】
まず、本発明に係るドーム型屋根へのリフォーム方法に関して、切妻形状の屋根をドーム型屋根へリフォームする方法について説明する。
図１に示すように、切妻形状の屋根１をドーム型屋根２へリフォームする場合には、切妻屋根１のトラス躯体３上にドーム型アタッチメント５を増設することで行うようにしている。
【００２０】
図２に示すように、ドーム型アタッチメント５はドーム型に組まれたサブトラス６と、該サブトラス６の上部に取付けられるガルバニューム鋼板等の軽量な金属鋼板７で構成されている。
サブトラス６は金属鋼板７を上部に支持する上弦６ａと、切妻屋根１の形状に沿わせて組まれた下弦６ｂと、該上弦６ａと下弦６ｂとの間に組まれたラチス材６ｃとから構成されている。下弦６ｂは切妻屋根のトラス躯体３の破風と平行となるように角度を合わせて組み立てられる。下弦６ｂの下面には取付プレート１０を突出しており、該取付プレート１０を切妻屋根のトラス躯体３上面から突出された母屋受けプレート１１にボルト接合で連結することによりドーム型アタッチメント５を切妻屋根のトラス躯体３に固定するようにしている。
【００２１】
前記金属鋼板７は半円筒状に形成されており、上弦６ａの上部にて支持されてサブトラス６上部に配されるように構成している。
このように、サブトラス６と該サブトラス６の上部に取付けた金属鋼板７とによりドーム型アタッチメント５を構成している。
【００２２】
そして、このように構成されるドーム型アタッチメント５を切妻屋根１に接合する場合には、切妻屋根の既存屋根部材、野地板、母屋等を解体除去し、切妻屋根のトラス躯体３上面から突出された母屋受プレート１１に対し、ドーム型アタッチメント５下面に突出した取付プレート１０をボルト接合することで、切妻屋根からドーム型屋根へのリフォームが完了するようにしている。
即ち、図３（ａ）図４（ａ）に示す切妻屋根１の既存屋根が解体されて、図３（ｂ）図４（ｂ）に示すドーム型屋根２へリフォームすることが可能となるのである。
【００２３】
なお、切妻屋根１の既存屋根、野地板、母屋を解体除去してドーム型屋根へリフォームを行う場合、現場施工の手間や産業廃棄物の発生等の問題が生じることが考えられるため、切妻屋根の母屋と母屋受プレートとの接合部にアタッチメント接合用の接合プレートを別設し、該接合プレートにドーム型アタッチメント５を接合できるようにしてもよい。また、接合手段は上述のボルト接合に限定されるものではなく、溶接接合としてもよい。
【００２４】
以上のように、既存屋根部材、野地板、母屋を解体除去する工程と、トラス躯体３から突出した母屋受けプレートに対し、ドーム型アタッチメント下面に突出した取付プレートを固定する工程により、切妻屋根をドーム型屋根へリフォームすることが容易に行えるようになるのである。
【００２５】
次に、寄棟形状の屋根をドーム型屋根へリフォームする方法について説明する。
図５に示すように、寄棟形状の屋根２１をドーム型屋根２２へリフォームする場合においても、上述の切妻屋根をドーム型屋根へリフォームする方法と同様に、屋根の既存屋根部材１４、野地板、母屋を解体してドーム型アタッチメントを取付けて行うようにしている。
【００２６】
寄棟屋根２１をドーム型屋根２２へリフォームする際に使用するドーム型アタッチメント１５は、切妻屋根をドーム型屋根へリフォームする際に使用するドーム型アタッチメント５とは異なり、下弦を寄棟屋根の屋根形状に沿わせて組んでいるものである。
そして、寄棟屋根２１をドーム型屋根２２へリフォームする際には、切妻屋根をリフォームする方法と同様に、既存屋根部材１４、野地板、母屋を解体除去して、寄棟屋根２１のトラス躯体から突出した母屋受けプレートに対しドーム型アタッチメント１５の取付プレートを固定することで、ドーム型屋根へリフォームが完了するのである。
即ち、図５（ａ）に示す寄棟屋根２１を、図５（ｂ）に示すドーム型屋根２２へリフォームすることができる。
【００２７】
このように、既存屋根部材１４、野地板、母屋を解体除去する工程と、トラス躯体から突出した母屋受けプレートに対し、ドーム型アタッチメント下面に突出した取付プレートを固定する工程により、切妻屋根と同様に、寄棟屋根をドーム型屋根へリフォームすることが容易に行えるようになるのである。
【００２８】
次に、フラットな陸屋根をドーム型屋根へリフォームする方法について説明する。
図６に示すように、陸屋根３１からドーム型屋根３２へリフォームする場合においては、陸屋根３１のパラペット２４上面から突出した、もしくは、別設した取付プレートに対して、ドーム型アタッチメント２５を取付けることで行うようにしている。
【００２９】
図７に示すように、陸屋根用のドーム型アタッチメント２５は、サブトラス１６と、該サブトラス１６上に支持される半円形状の軽量な金属鋼板１７と、から構成されている。
前記サブトラス１６は、陸屋根３１のパラペット２４の形状に合わせて水平に組まれた下弦１６ｂと、金属鋼板１７を支持する上弦１６ａと、前記上弦１６ａと前記下弦１６ｂとの間に組まれたラチス材１６ｃと、から構成されている。
【００３０】
前記下弦１６ｂの下面には取付プレート４０を突出しており、該取付プレート１０を陸屋根３１のパラペット２４上面から突出した取付プレート４１にボルト接合することで陸屋根用のドーム型アタッチメント２５を固定保持できるようにしている。
なお、パラペット２４上面から突出した取付プレート４１はパラペットを構成する上で一体的に設けてもよいし、ドーム型アタッチメント２５を取付ける際に、パラペット上面に別設してもよい。
【００３１】
このように構成される陸屋根用のドーム型アタッチメント２５を陸屋根３１に取付ける場合には、陸屋根３１のパラペット２４上面から突出した（もしくは、パラペットのカバーを外して出現させた）取付プレート４１に対してドーム型アタッチメント２５の下弦１６ｂから下方に突出した取付プレート４０をボルト接合（もしくは、溶接接合）するのである。
これにより、図６（ａ）に示す陸屋根３１から、図６（ｂ）に示すドーム型屋根３２へ容易にリフォームすることができるのである。
【００３２】
以上のように、フラット、切妻、寄棟形状の屋根の既存屋根のトラス躯体上にドーム型アタッチメントを増設することで既存屋根をドーム型屋根へリフォームするので、ドーム型屋根側の取付プレートと既存屋根側の母屋受けプレートとを接合するだけでドーム型屋根を構築することができる。
また、既存の屋根をドーム型屋根へ容易にリフォームすることが可能となるのである。
【００３３】
なお、以上の実施例においては切妻、寄棟、フラット形状の既存屋根をドーム型屋根へリフォーム方法について述べたが、既存屋根の形状は上記のものに限定されるものではなく、例えば、型流れ、方形、入母屋形状の既存屋根にも適用することが可能である。
また、上述したドーム型アタッチメント５・２５はリフォーム用に限らず、新築の建築物にも利用することができるものである。
【図面の簡単な説明】
【００３４】
【図１】リフォーム前の切妻屋根とリフォーム後のドーム型屋根を示す斜視図。
【図２】ドーム型アタッチメントの構成を示す正面図。
【図３】リフォーム前とリフォーム後の屋根構造を示す正面図。
【図４】同じく背面図。
【図５】リフォーム前の寄棟屋根とリフォーム後のドーム型屋根を示す斜視図。
【図６】リフォーム前の陸屋根とリフォーム後のドーム型屋根を示す斜視図。
【図７】陸屋根用のドーム型アタッチメントの構成を示す正面図。
【符号の説明】
【００３５】
１    切妻屋根
２    ドーム型屋根
３    トラス躯体
５    ドーム型アタッチメント
６    サブトラス
６ａ  上弦
６ｂ  下弦
６ｃ  ラチス材
７    金属鋼板
１０  取付プレート
１１  母屋受けプレート
２１  寄棟屋根
３１  陸屋根
【図１】
2005344393.tif 000003
【図２】
2005344393.tif 000004
【図３】
2005344393.tif 000005
【図４】
2005344393.tif 000006
【図５】
2005344393.tif 000007
【図６】
2005344393.tif 000008
【図７】
2005344393.tif 000009